(57)【要約】【課題】接続基地局が上りリンクにおける干渉信号を低減させるための制御情報をユーザ装置に通知し、ユーザ装置が下りリンクの所望信号を受信するにあたり、通知された制御情報を用いて上りリンクにおける干渉信号を低減させる。【解決手段】無線通信システムにおいて一のユーザ装置と接続する基地局が、前記一のユーザ装置に対する一以上の干渉基地局が形成するセル又は他のユーザ装置からの上りリンクにおける干渉信号を低減するために前記一のユーザ装置において利用される前記干渉基地局毎の第１の制御情報を、前記干渉基地局から受信する受信手段と、一以上の前記第１の制御情報に基づく第２の制御情報を生成する生成手段と、前記第２の制御情報を、下りリンク制御信号により前記一のユーザ装置に送信する送信手段とを有する。【選択図】図６
2015023454.tif 000002
【特許請求の範囲】
【請求項１】
無線通信システムにおいて一のユーザ装置と接続する基地局であって、
前記一のユーザ装置に対する一以上の干渉基地局が形成するセル又は他のユーザ装置からの上りリンクにおける干渉信号を低減するために前記一のユーザ装置において利用される前記干渉基地局毎の第１の制御情報を、前記干渉基地局から受信する受信手段と、
一以上の前記第１の制御情報に基づく第２の制御情報を生成する生成手段と、
前記第２の制御情報を、下りリンク制御信号により前記一のユーザ装置に送信する送信手段とを有する基地局。
【請求項２】
前記第１の制御情報は、物理上りリンク共有チャネルの復調用参照信号のチャネル推定に用いられる情報であって、
前記下りリンク制御信号は、物理下りリンク制御チャネルにおけるハイヤレイヤシグナリング又は下り制御情報である請求項１記載の基地局。
【請求項３】
前記下り制御情報には、所定のフォーマットに基づき予め定められた情報要素が含まれており、
前記生成手段は、前記第２の制御情報が前記下り制御情報として送信される場合、当該下り制御情報における前記情報要素の一部が削除された又は前記情報要素に含まれる一部の情報が削除された前記第２の制御情報を生成する請求項２記載の基地局。
【請求項４】
前記下り制御情報には、所定のフォーマットに基づき予め定められた情報要素が含まれており、
前記生成手段は、前記第２の制御情報が前記下り制御情報として送信される場合、当該下り制御情報における前記情報要素に含まれる一部の情報が所定の情報に置き換えられた前記第２の制御情報を生成する請求項２又は３記載の基地局。
【請求項５】
前記第１の制御情報は、チャネル品質測定用参照信号のチャネル推定に用いられる情報であって、
前記下り制御信号は、物理下りリンク制御チャネルにおけるハイヤレイヤシグナリングである請求項１乃至４のいずれか一項に記載の基地局。
【請求項６】
複数の基地局を含む無線通信システムにおけるユーザ装置であって、
接続基地局から下りリンク制御信号により送信された当該ユーザ装置に対する干渉基地局が形成するセル又は他のユーザ装置からの上りリンクにおける干渉信号を低減するために利用する制御情報を受信する受信手段と、
前記制御情報を利用して、前記干渉信号を低減し、前記接続基地局からの所望信号を取得する干渉低減手段とを有するユーザ装置。
【請求項７】
前記制御情報は、当該ユーザ装置が物理上りリンク共有チャネルの復調用参照信号のチャネル推定に用いる情報であって、
前記干渉低減手段は、前記制御情報に基づく前記復調用参照信号のチャネル推定の結果を用いて、該復調用参照信号のキャンセル及び前記物理上りリンク共有チャネルの干渉信号抑圧合成受信又は逐次干渉キャンセルを行う請求項６記載のユーザ装置。
【請求項８】
前記低減手段は、前記制御信号が前記接続基地局から物理下りリンク制御チャネルにおける、所定のフォーマットに基づき予め定められた情報要素を含む下り制御情報として送信される場合、該下り制御情報に含まれる前記情報要素の一部が削除されているか、前記情報要素に含まれる一部の情報が削除されているか又は前記情報要素に含まれる一部の情報が所定の情報に置き換えられている場合、前記制御情報に基づき推定されたチャネルのうち、測定された前記干渉信号の電力に基づきチャネル推定結果を決定する請求項６又は７記載のユーザ装置。
【請求項９】
前記制御情報は、当該ユーザ装置がチャネル品質測定用参照信号のチャネル推定に用いる情報であって、
前記干渉低減手段は、前記制御情報に基づく前記チャネル品質測定用参照信号のチャネル推定の結果を用いて、該チャネル品質測定用参照信号をキャンセルする請求項６乃至８のいずれか一項に記載のユーザ装置。
【請求項１０】
無線通信システムにおいて接続基地局と接続する一のユーザ装置に対する干渉基地局が形成するセル又は他のユーザ装置からの上りリンクにおける干渉信号を低減する干渉低減方法であって、
前記接続基地局が、前記干渉信号を低減するために前記一のユーザ装置において利用される前記干渉基地局毎の第１の制御情報を、前記干渉基地局から受信する第１の受信ステップと、
前記接続基地局が、一以上の前記第１の制御情報に基づく第２の制御情報を生成する生成ステップと、
前記接続基地局が、前記第２の制御情報を、下りリンク制御信号により前記一のユーザ装置に送信する送信ステップと、
前記一のユーザ装置が、前記接続基地局から送信された前記第２の制御情報を受信する受信ステップと、
前記一のユーザ装置が、前記第２の制御情報を利用して、前記干渉信号を低減し、前記接続基地局からの所望信号を取得する干渉低減ステップとを有する干渉低減方法。
【発明の詳細な説明】
【技術分野】
【０００１】
本発明は、無線通信システムの基地局及びユーザ装置に関するものである。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）Ａｄｖａｎｃｅｄのような無線通信システムでは、ユーザ装置（ＵＥ：Ｕｓｅｒ  Ｅｑｕｉｐｍｅｎｔ）における干渉に起因するスループットの低下等が問題となる。干渉は例えば図１に示すような場合に発生する。
【０００３】
・接続セル（接続基地局のセル、ｓｅｒｖｉｎｇ  ｃｅｌｌ）に所在するユーザ装置＃１が、接続基地局からのＭＵ−ＭＩＭＯ（ｍｕｌｔｉ−ｕｓｅｒ  ｍｕｌｔｉｐｌｅ−ｉｎｐｕｔ  ｍｕｌｔｉｐｌｅ−ｏｕｔｐｕｔ）における同一リソース上のユーザ装置＃２への電波ビームによる他ユーザからの干渉信号を受信する場合
・ユーザ装置＃１が、他のセルである干渉セル（干渉基地局、Ｉｎｔｅｒｆｅｒｅｎｃｅ  ｃｅｌｌ）からの干渉信号を受信する場合
そこで、ＬＴＥ−Ａｄｖａｎｃｅｄでは、下りリンク通信に関して、上記のような干渉信号をユーザ装置が抑圧したり、受信した干渉信号を除去（キャンセル）したりする干渉低減のための技術が検討されている。干渉低減の技術として、例えば、干渉抑圧合成（ＩＲＣ：Ｉｎｔｅｒｆｅｒｅｎｃｅ  Ｒｅｊｅｃｔｉｏｎ  Ｃｏｍｂｉｎｉｎｇ）受信及び逐次干渉キャンセル（ＳＩＣ：Ｓｕｃｃｅｓｓｉｖｅ  Ｉｎｔｅｒｆｅｒｅｎｃｅ  Ｃａｎｃｅｌｌａｔｉｏｎ）がある。
【０００４】
＜干渉抑圧合成（ＩＲＣ）受信＞
ＩＲＣ受信は、干渉信号と所望信号を含む受信信号から、所望信号を分離し、取得する技術である。ＩＲＣは、下りリンク通信に関して、接続基地局からの所望電波ビームに対する干渉基地局からの干渉電波ビームの干渉及び接続基地局における他ユーザ向け信号による干渉を、ユーザ装置で抑圧するように、ユーザ装置において各受信アンテナで得られる信号に重み付け（受信ウェイト）を与える技術である。
【０００５】
受信ウェイトは、図２に示すＭＭＳＥ（最小平均二乗誤差）アルゴリズムから導き出される式により算出される。なお、ウェイトの算出方法は、干渉信号のチャネルが推定可能な場合と干渉信号のチャネルが推定不可能な場合との２種類（Ｔｙｐｅ１、Ｔｙｐｅ２）があり、図２に示した式は干渉信号のチャネルが推定可能な場合（Ｔｙｐｅ１）の式である。なお、図２に示した式を用いて受信ウェイトを計算する技術は既存技術である。
【０００６】
図２に示した式のうち下線で示した部分が干渉セルのチャネル行列で構成される共分散行列である。そして、干渉セルのチャネル行列は、干渉セルからの参照信号を用いてチャネル推定を行うことにより得られる。ここで、チャネル推定は、例えば、非特許文献１に記載された２次元ＭＭＳＥチャネル推定フィルタを用いる。なお、ＬＴＥ  Ａｄｖａｎｃｅｄにおいて、チャネル推定に用いることのできる参照信号には、ＣＲＳ（Ｃｅｌｌ−ｓｐｅｃｉｆｉｃ  Ｒｅｆｅｒｅｎｃｅ  Ｓｉｇｎａｌ、セル固有参照信号）、ＣＳＩ−ＲＳ  （ＣＳＩ  Ｒｅｆｅｒｅｎｃｅ  Ｓｉｇｎａｌ、ＣＳＩ参照信号）、ＤＭＲＳ（ＤｅＭｏｄｕｌａｔｉｏｎ  Ｒｅｆｅｒｅｎｃｅ  Ｓｉｇｎａｌ、復調参照信号）等がある。
【０００７】
＜逐次干渉キャンセル（ＳＩＣ）＞
ＳＩＣは、干渉信号と所望信号を含む受信信号から、所望信号を分離するための技術である。ＳＩＣは、受信信号から干渉信号の硬判定又は軟判定によるレプリカ信号を作成し、受信信号からレプリカ信号を逐次的に減算（除去）することにより、所望信号を抽出する技術である。ＳＩＣを行うユーザ装置の機能構成を図３に示す。図３に示すように、ユーザ装置は、複数の干渉信号毎に、干渉信号のチャネル推定を行い、当該チャネル推定に基づき干渉信号の復調を行って、干渉信号のレプリカを作成し、逐次受信信号から減算することで、ＳＩＣの処理を実行する。
【０００８】
上述したように、ＩＲＣ受信及びＳＩＣを行うためには、ユーザ装置は干渉信号のチャネル推定を行う必要がある。
【０００９】
また、３ＧＰＰ  Ｒｅｌ．１２において、複数のセルの上り／下りリンクのリソース構成を動的に変化させるＤｙｎａｍｉｃ  ＴＤＤ（Ｔｉｍｅ  Ｄｉｖｉｓｉｏｎ  Ｄｕｐｌｅｘ、時分割複信）及び端末間通信（Ｄｅｖｉｃｅ−ｔｏ−Ｄｅｖｉｃｅ（Ｄ２Ｄ））が検討されている。
【００１０】
＜Ｄｙｎａｍｉｃ  ＴＤＤ＞
従来のＬＴＥにおけるＴＤＤでは、上りリンク／下りリンク間の干渉を抑えるため、図４（ａ）に示すように、基地局＃１のセル＃１と他の隣接する基地局＃２のセル＃２とが同一のリソース構成（上りリンク／下りリンク／Ｓｐｅｃｉａｌ  Ｓｕｂｆｒａｍｅ）となっている。図４（ａ）の例では、各サブフレーム番号（Ｓｕｂｆｒａｍｅ  ｎｕｍｂｅｒ）「０」〜「９」におけるセル＃１及びセル＃２のリソースが同一になるように対応している。そして、リソース構成は、各セル（セル＃１、セル＃２）のトラフィック状況に応じて、長周期的（例えば数時間〜１日周期）に変更される。
【００１１】
一方、Ｄｙｎａｍｉｃ  ＴＤＤでは、図４（ｂ）に示すように、複数のセル（セル＃１、セル＃２）において、上りリンク／下りリンクのリソース構成をトラフィック状況等に応じて動的に変化させる。図４（ｂ）の例では、例えばサブフレーム番号「３」に対応するセル＃１のリソースは「上りリンク」であり、セル＃２のリソースは「下りリンク」であるといったように、両者に異なるリソースが割り当てられている。また、この例では、サブフレーム番号「０」〜「９」において、セル＃２の下りリンクのトラフィックが多いため、動的に下りリンクにリソースが多く割り当てられている状態を示している。このように、Ｄｙｎａｍｉｃ  ＴＤＤではリソースを効率的に利用できる。
【００１２】
しかしながら、Ｄｙｎａｍｉｃ  ＴＤＤは、セル毎にリソース構成が異なるため、上りリンク／下りリンク間の干渉が発生してしまう。
【００１３】
＜端末間通信（Ｄ２Ｄ）＞
端末間通信では、図５に示すように、ユーザ装置＃２とユーザ装置＃３との通信である端末間通信において、ＴＤＤにおける上りリンクの使用が検討されている。なお、基地局とユーザ装置との通信は、図５の例ではＦＤＤ（Ｆｒｅｑｕｅｎｃｙ  Ｄｉｖｉｓｉｏｎ  Ｄｕｐｌｅｘ、周波数分割複信）を利用した場合を図示しているが、ＴＤＤを利用してもよい。
【００１４】
したがって、端末間通信を行っているユーザ装置＃２、＃３の周辺のユーザ装置＃１は、端末間通信に使用される上りリンクの干渉信号を受信してしまう。
【００１５】
このように、ユーザ装置が下りリンクの所望信号を受信中に、Ｄｙｎａｍｉｃ  ＴＤＤ又は端末間通信で使用される上りリンクの信号を受信してしまうと、上りリンクの信号が干渉となり、ユーザ装置における下りリンクの受信品質が低下してしまうといった問題がある。
【先行技術文献】
【非特許文献】
【００１６】
【非特許文献１】P. Hoeher et. al., "Two-dimensional pilot-symbol-aided channel estimation by Wiener filtering," Proc. ICASSP'97, 1997
【非特許文献２】Bo Yu, Sayandev Mukherjee, Hiroyuki Ishii, Liuqing Yang, "Dynamic TDD support in the LTE-B enhanced Local Area architecture"
【非特許文献３】Mohammed Al-Rawi, Riku J¨antti, "A Dynamic TDD Inter-Cell Interference Coordination scheme for Long Term Evolution Networks"
【非特許文献４】LEI LEI AND ZHANGDUI ZHONG, CHUANG LIN, XUEMIN (SHERMAN) SHEN,"OPERATOR CONTROLLED DEVICE-TO-DEVICE COMMUNICATIONS IN LTE-ADVANCED NETWORKS" IEEE Wireless Communications・June 2012
【発明の概要】
【発明が解決しようとする課題】
【００１７】
ここで、上述したＩＲＣ及びＳＩＣといった干渉低減の技術は、規定された３ＧＰＰ  Ｒｅｌ．１１及び検討中のＲｅｌ．１２において、下りリンクの干渉信号のみを干渉低減の対象としている。また、本願に関連する先願（特願２０１２−２８８８９６、特願２０１３−０１７７１５、特願２０１３−０７１０６７）の実施の形態では、いずれも下りリンクの干渉信号を低減する技術が開示されている。
【００１８】
したがって、これらの干渉低減の技術を適用させたとしても、上りリンクの干渉信号を低減させることはできず、上記問題を解決できない。
【００１９】
そこで、本発明は、上記の点に鑑みてなされたものであって、接続基地局が上りリンクにおける干渉信号を低減させるための制御情報をユーザ装置に通知し、ユーザ装置が下りリンクの所望信号を受信するにあたり、通知された制御情報を用いて上りリンクにおける干渉信号を低減させることを目的とする。
【課題を解決するための手段】
【００２０】
上記の課題を解決するために、本発明の一実施形態によれば、無線通信システムにおいて一のユーザ装置と接続する基地局が、前記一のユーザ装置に対する一以上の干渉基地局が形成するセル又は他のユーザ装置からの上りリンクにおける干渉信号を低減するために前記一のユーザ装置において利用される前記干渉基地局毎の第１の制御情報を、前記干渉基地局から受信する受信手段と、一以上の前記第１の制御情報に基づく第２の制御情報を生成する生成手段と、前記第２の制御情報を、下りリンク制御信号により前記一のユーザ装置に送信する送信手段とを有する。
【００２１】
また、複数の基地局を含む無線通信システムにおけるユーザ装置が、接続基地局から下りリンク制御信号により送信された当該ユーザ装置に対する干渉基地局が形成するセル又は他のユーザ装置からの上りリンクにおける干渉信号を低減するために利用する制御情報を受信する受信手段と、前記制御情報を利用して、前記干渉信号を低減し、前記接続基地局からの所望信号を取得する干渉低減手段とを有するように構成できる。
【００２２】
また、無線通信システムにおいて接続基地局と接続する一のユーザ装置に対する干渉基地局が形成するセル又は他のユーザ装置からの上りリンクにおける干渉信号を低減する干渉低減方法が、前記接続基地局が、前記干渉信号を低減するために前記一のユーザ装置において利用される前記干渉基地局毎の第１の制御情報を、前記干渉基地局から受信する第１の受信ステップと、前記接続基地局が、一以上の前記第１の制御情報に基づく第２の制御情報を生成する生成ステップと、前記接続基地局が、前記第２の制御情報を、下りリンク制御信号により前記一のユーザ装置に送信する送信ステップと、前記一のユーザ装置が、前記接続基地局から送信された前記第２の制御情報を受信する受信ステップと、前記一のユーザ装置が、前記第２の制御情報を利用して、前記干渉信号を低減し、前記接続基地局からの所望信号を取得する干渉低減ステップとを有するように構成できる。
【発明の効果】
【００２３】
本発明の実施形態によれば、接続基地局が上りリンクにおける干渉信号を低減させるための制御情報をユーザ装置に通知し、ユーザ装置が下りリンクの所望信号を受信するにあたり、通知された制御情報を用いて上りリンクにおける干渉信号を低減させることができる。
【図面の簡単な説明】
【００２４】
【図１】無線通信システムにおいて干渉が発生するケースを説明するための図である。
【図２】干渉抑圧合成（ＩＲＣ）受信を説明するための図である。
【図３】逐次干渉キャンセル（ＳＩＣ）を行うユーザ装置の機能構成を示す図である。
【図４】従来のＴＤＤ及びＤｙｎａｍｉｃ  ＴＤＤにおけるリソース構成を説明するための図である。
【図５】端末間通信における使用リソースを説明するための図である。
【図６】本発明の実施形態における無線通信システムの概要構成図である。
【図７】干渉低減の対象とする上りリンクの干渉信号を示す図である。
【図８】第１の実施形態における干渉低減の方法を説明するための図である。
【図９】ＤＭＲＳ系列推定及びチャネル推定に使用される接続セルの制御情報を示す図である。
【図１０】上りリンクのフレーム構成例及びユーザ割当イメージを説明するための図である。
【図１１】第１の実施形態におけるＤＭＲＳ系列推定及びチャネル推定に使用される干渉セルの制御情報を示す図である。
【図１２】通知対象とする干渉ユーザ割当情報の例を説明するための図である。
【図１３】第１の変形例のケース１における干渉セルの制御情報を示す図である。
【図１４】第１の変形例のケース２における干渉セルの制御情報を示す図である。
【図１５】第２の変形例における干渉セルの制御情報の例を示す図である。
【図１６】第２の変形例における干渉信号のユーザ割当状況の推定方法の一例を説明するための図である。
【図１７】本発明の第１の実施形態における基地局の機能構成を示す図である。
【図１８】本発明の第１の実施形態におけるユーザ装置の機能構成を示す図である。
【図１９】本発明の第１の実施形態における無線通信システムの動作手順を示すシーケンス図である。
【図２０】第２の実施形態における干渉低減の方法を説明するための図である。
【図２１】ＳＲＳ系列推定及びチャネル推定に使用される接続セルの制御情報を示す図である。
【図２２】ＳＲＳ送信間隔及びユーザ割当イメージを説明するための図である。
【図２３】第２の実施形態におけるＳＲＳ系列推定及びチャネル推定に使用される干渉セルの制御情報を示す図である。
【図２４】本発明の第２の実施形態における基地局の機能構成を示す図である。
【図２５】本発明の第２の実施形態におけるユーザ装置の機能構成を示す図である。
【図２６】本発明の第２の実施形態における無線通信システムの動作手順を示すシーケンス図である。
【発明を実施するための形態】
【００２５】
以下、図面を参照して本発明の実施形態（以下、実施形態という。）を説明する。なお、以下で説明する実施形態は一例に過ぎず、本発明が適用される実施形態は、以下の実施形態に限られるわけではない。以下では、干渉抑圧又はキャンセルの処理を総称して干渉低減と記述する。
【００２６】
本発明の実施形態におけるユーザ装置は、携帯電話機やスマートフォン、タブレット等の移動通信端末を想定しているが、これらに限られるわけではない。また、本発明の実施形態においてユーザ装置が接続する移動通信網はＬＴＥに準拠したネットワークであるが、本発明を適用できるネットワークはこれに限定されるわけではない。なお、本発明の実施形態での「ＬＴＥ」は、３ＧＰＰ  Ｒｅｌ．８〜Ｒｅｌ．１０に対応する通信方式のみならず、３ＧＰＰ  Ｒｅｌ．１１、Ｒｅｌ．１２に対応する通信方式も含む意味で使用する。
[システム構成]
図６に、本発明の実施形態における無線通信システムの概要構成図を示す。本発明の実施形態におけるシステムは、例えばＬＴＥ  Ａｄｖａｎｃｅｄ方式の無線通信システムであり、接続基地局２０（ｅＮｏｄｅＢ）が接続セルを形成し、セル内のユーザ装置１０（ＵＥ）が接続基地局２０と所望信号による通信を行う。本発明の実施形態の無線通信システムは、少なくともＬＴＥ  Ａｄｖａｎｃｅｄで規定されている機能を含む。但し、本発明はＬＴＥ  Ａｄｖａｎｃｅｄの方式に限定されず、ＬＴＥ  Ａｄｖａｎｃｅｄより先の世代の無線通信システムやＬＴＥ以外の方式にも適用可能である。
【００２７】
通常、無線通信システムには、多くの基地局が備えられるが、図６には、接続基地局２０と、これに隣接する基地局である干渉基地局３０とが示されている。本発明の実施形態において、接続基地局２０と干渉基地局３０とが有する機能は同じである。干渉基地局３０から当該干渉基地局３０を接続基地局とするユーザ装置１１に対して送信される信号は、ユーザ装置１０にとって干渉信号となる。したがって、本発明の実施形態では、ユーザ装置１０が接続する接続基地局２０と区別するため、接続基地局２０に隣接する基地局を干渉基地局３０という。干渉基地局３０もセルを形成し、干渉基地局３０におけるセルを干渉セルと呼ぶ。接続基地局２０に対する干渉基地局３０は複数であるのが一般的であるが、図６の例では１つのみの干渉基地局３０を示している。
【００２８】
本発明の実施形態における無線通信システムの動作概要を説明する。
【００２９】
図６に示すように、ステップＳ１において、ユーザ装置１０が干渉セル（干渉基地局３０）からの上りリンクの干渉信号を受信している。
【００３０】
ステップＳ２において、干渉基地局３０から接続基地局２０に、ユーザ装置１０が上りリンクの干渉信号の干渉低減を行うために使用する制御情報が通知される。
【００３１】
なお、本発明の実施形態において干渉低減の対象とする上りリンクの干渉信号を図７に示す。図７に示すように、干渉低減の対象とする干渉信号は、ＰＵＳＣＨ（物理上りリンク共有チャネル）及びＰＵＳＣＨを復調するために用いる復調用参照信号（ＤＭＲＳ）と、チャネル品質測定用参照信号（ＳＲＳ：Ｓｏｕｎｄｉｎｇ  Ｒｅｆｅｒｅｎｃｅ  Ｓｉｇｎａｌ）とである。なお、ＤＭＲＳは、ＰＵＣＣＨ（物理上りリンク制御チャネル）を復調するためにも用いられるが、本発明の実施形態ではＰＵＳＣＨを復調するために用いられる（ＰＵＳＣＨに多重される）ＰＵＳＣＨ復調用ＤＭＲＳを対象とする。以下、ＰＵＳＣＨ復調用ＤＭＲＳを単にＤＭＲＳと記述する。
【００３２】
図６に戻り、ステップＳ３において、接続基地局２０がユーザ装置１０に対し、物理レイヤの制御信号を伝送するチャネルを利用して、接続セルの制御情報及び干渉セルの制御情報を通知する。物理レイヤの制御信号を伝送するチャネルは、例えばＰＤＣＣＨ（物理下り制御チャネル）である。また、ＰＤＣＣＨで伝送される制御情報は、例えばハイヤレイヤシグナリングであるＲＲＣシグナリングやＤＣＩ（Ｄｏｗｎｌｉｎｋ  Ｃｏｎｔｒｏｌ  Ｉｎｆｏｒｍａｔｉｏｎ、下り制御情報)フォーマットに含まれる。
【００３３】
ステップＳ４において、ユーザ装置１０が接続基地局２０から通知された制御情報に基づく上りリンクの干渉信号の干渉低減を行う。なお、干渉低減とは、干渉セルの制御情報を用いて、上りリンクの干渉信号のチャネル推定を行い、チャネル推定結果に基づき実行されるＩＲＣ受信やＳＩＣ等の処理である。
【００３４】
上述したように、本発明の実施形態の無線通信システムは、接続基地局２０がユーザ装置１０に対して、干渉セルにおける上りリンクの干渉信号の干渉低減に用いる制御情報を通知する。そして、ユーザ装置１０が接続基地局２０から通知された制御情報に基づき、上りリンクの干渉信号の干渉低減を行う。
【００３５】
以下、本発明の実施形態について、図７に示した干渉低減の対象とする干渉信号の種別に基づき、ＤＭＲＳ及びＰＵＳＣＨの干渉信号を対象とする場合を第１の実施形態とし、ＳＲＳの干渉信号を対象とする場合を第２の実施形態とする。
【００３６】
以下、第１の実施形態、第２の実施形態について、それぞれ具体的な実施例を用いて説明する。なお、装置構成（機能構成）及び当該構成に基づく動作については各実施例の説明の後に説明する。
〔第１の実施形態〕
＜干渉低減の方法＞
第１の実施形態における対象信号の干渉低減の方法を図８に示す。図８に示すように、ユーザ装置１０は、ＤＭＲＳの干渉信号に対して、ＤＭＲＳによるＰＵＳＣＨ用のデータ領域（ＰＵＳＣＨ領域）のチャネル推定を行い、ＤＭＲＳ系列を用いて干渉信号をキャンセルする。また、ＰＵＳＣＨの干渉信号に対して、ＤＭＲＳによるチャネル推定結果を用いて、干渉信号を抑圧（ＩＲＣ受信）又はキャンセル（ＳＩＣ、データ系列は例えばブラインドにより推定）する。
【００３７】
ユーザ装置１０は、ＤＭＲＳによるＰＵＳＣＨ領域のチャネル推定を、ユーザ装置１０において生成されるＤＭＲＳ系列に基づき実行する。
【００３８】
＜接続セルの制御情報＞
接続基地局２０からユーザ装置１０に対して通知される、ＤＭＲＳ系列の生成及びＤＭＲＳによるチャネル推定に必要な制御情報を図９に示す。
【００３９】
図９に示すように、ＤＭＲＳ系列生成、チャネル推定に必要な制御情報の種別は、準静的（Ｓｅｍｉ−ｓｔａｔｉｃ）にユーザ装置１０に通知する制御情報である準静的制御情報と、動的（Ｄｙｎａｍｉｃ）にユーザ装置１０に通知する制御情報である動的制御情がある。また、準静的制御情報は、ハイヤレイヤシグナリングであるＲＲＣシグナリングにより通知され、さらにセル内の全てのユーザ装置（ＵＥ）に共通したパラメータで通知される情報要素と、ユーザ装置毎個別のパラメータで通知される情報要素とがある。動的制御情報は、動的（例えば１サブフレーム周期）にＤＣＩにより通知され、ユーザ装置毎個別のパラメータの情報要素が含まれる。
【００４０】
なお、上りリンクのフレーム構成の例を図１０（ａ）に示し、ユーザ装置（ＵＥ）毎のリソースの割当イメージを図１０（ｂ）に示す。図１０（ａ）に示すように、ＤＭＲＳ及びＳＲＳは、ＰＵＳＣＨに多重された構成となっている。
【００４１】
＜干渉セルの制御情報＞
第１の実施形態では、干渉セルのＤＭＲＳ系列の生成及びＤＭＲＳによるチャネル推定を行うため、干渉セルの制御情報（ＤＭＲＳ情報）が接続基地局２０からユーザ装置１０に通知される。接続基地局２０は、各干渉基地局３０から通知される干渉セルの制御情報に基づき、図１１に示すような干渉セルの制御情報を生成する。図１１に示されるように、接続セルの制御情報と異なり、接続基地局２０が生成する干渉セルの制御情報のうち準静的制御情報の干渉セルのセルＩＤ毎のｇｒｏｕｐＨｏｐｐｉｎｇＥｎａｂｌｅｄ、ｓｅｑｕｅｎｃｅＨｏｐｐｉｎｇＥｎａｂｌｅｄ、ｇｒｏｕｐＡｓｓｉｇｎｍｅｎｔＰＵＳＣＨ、ｃｙｃｌｉｃＳｈｉｆｔが含まれる。また、生成される干渉セルの準静的制御情報には、干渉ユーザＩＤに対応付けられた干渉ユーザ数分のｇｒｏｕｐＨｏｐｐｉｎｇＤｉｓａｂｌｅｄ及びｎＰＵＳＣＨ−Ｉｄｅｎｔｉｔｙ／ｎＤＭＲＳ−ＣＳＨ-Ｉｄｅｎｔｉｔｙが含まれる。また、生成される干渉セルの動的制御情報には、干渉ユーザＩＤに対応付けられた干渉ユーザ数分の巡回シフト量、干渉セルのスロット番号（但し、完全同期の場合は不要となる。）及び干渉ユーザ割当情報が含まれる。なお、干渉ユーザ割当情報（干渉ユーザ情報ともいう。）は、例えば図１２に示すように、所望信号における接続ユーザ（ＵＥ＃１）が割り当てられているリソースブロック（ＲＢ）に対応するＵＥ＃２、ＵＥ＃３、ＵＥ＃４の干渉ユーザ情報のみがユーザ装置１０に通知される（すなわち、ＵＥ＃５の干渉ユーザ情報は通知されない。）。このように、接続基地局２０が、ユーザ装置１０が割り当てられている所望信号のＲＢに対応する干渉信号のＲＢに割り当てられているユーザ（干渉ユーザ）のみの干渉ユーザ割当情報がユーザ装置１０に通知される。すなわち、ユーザ装置１０における干渉信号の低減に関係しない不要なユーザの干渉ユーザ割当情報が通知されないように制御される。
【００４２】
以上、本発明の第１の実施形態の無線通信システムにおいて、ユーザ装置１０は、図１１に示した干渉セルの制御情報に基づき行ったＰＵＳＣＨ領域のチャネル推定結果及び生成したＤＭＲＳ系列を用いて、干渉信号であるＤＭＲＳをキャンセルする。また、ユーザ装置１０は、上記チャネル推定結果を用いて、干渉信号であるＰＵＳＣＨに対してＩＲＣ受信を行い、干渉信号の抑圧を行う。または、ユーザ装置１０は、干渉信号であるＰＵＳＣＨの変調信号を推定し、上記チャネル推定結果を用いてＳＩＣを行い、干渉信号をキャンセルする。
【００４３】
〔第１の変形例〕
第１の実施形態の第１の変形例は、接続基地局２０からユーザ装置１０に通知する下り制御信号の信号量を削減するため、図１１に示した情報要素から、通知する情報要素を削除したり、情報要素に含まれる情報量を削減したりする。以下、第１の変形例において、干渉セルの制御情報の情報要素を削除する場合をケース１とし、情報要素に含まれる情報量を削減する場合をケース２として、各ケースを説明する。
【００４４】
＜ケース１（情報要素を削除する場合）＞
第１の変形例のケース１における干渉セルの制御情報を図１３に示す。図１３に示すように、第１の変形例のケース１では、図１１に示した干渉セルの制御情報に含まれる情報要素のうち、ＤＣＩで通知される「（巡回シフト量＋干渉ユーザＩＤ）×干渉ユーザ数」の情報要素が削除される。これにより、第１の実施形態の場合（図１１）に比べて、動的に接続基地局２０からユーザ装置１０に通知されるＤＣＩのうち干渉ユーザ数分の情報量を削減できる。
【００４５】
この場合、巡回シフト量はユーザ毎に８種類の値で定義されるため、すなわちユーザ毎に８パタンが存在するため、干渉セルの制御情報が通知されたユーザ装置１０は、各干渉ユーザに対して合計８パタンの系列を用いることで、干渉信号のチャネルを推定できる。具体的には、例えばユーザ装置１０は、各干渉ユーザに対する合計８パタンの系列に基づき推定した８通りのチャネルのうち、測定された干渉雑音電力（干渉信号の電力）が最も大きいチャネルをチャネル推定結果として決定する。
【００４６】
＜ケース２（情報要素に含まれる情報量を削減する場合＞
第１の変形例のケース２における干渉セルの制御情報を図１４に示す。図１４に示すように、第１の変形例のケース２では、図１１に示した情報要素「（巡回シフト量＋干渉ユーザＩＤ）×干渉ユーザ数」のうち合計８パタンであった「巡回シフト量」のインデックス情報を奇数又は偶数のいずれか1ビットとすることにより、「巡回シフト量」を４パタンに削減する。
【００４７】
この場合、干渉セルの制御情報が通知されたユーザ装置１０は、各干渉ユーザに対して、奇数又は偶数のいずれかのビットが設定された４パタンの巡回シフト量による４パタンの系列を用いて、干渉信号のチャネルを推定する。具体的には、例えばユーザ装置１０は、各干渉ユーザに対する合計４パタンの系列に基づき推定した４通りのチャネルのうち、最も干渉雑音電力が大きいチャネルをチャネル推定結果として決定する。
【００４８】
なお、第１の変形例における干渉信号の干渉低減方法は、図８に示した第１の実施形態の場合の方法と同じである。
【００４９】
〔第２の変形例〕
第１の実施形態の第２の変形例は、接続基地局２０からユーザ装置１０に通知する下り制御信号の信号量を削減するため、ＤＣＩにより通知される「干渉ユーザ割当情報」に含まれる情報を、所定の情報に置き換え、ユーザ装置１０が干渉信号におけるユーザ（干渉ユーザ）割当状況をブラインドにより推定する。
【００５０】
第１の実施形態における干渉ユーザ割当情報には、例えば、干渉ユーザ数分の干渉ユーザＩＤ、帯域幅（ＲＢ数）及びＰＵＳＣＨの先頭のＲＢ位置を示すスタートＲＢ位置情報（ＲＢインデックスともいう。）が含まれる。一方、第２の変形例における干渉ユーザ割当情報には、図１５に示すように、干渉ユーザ数分の干渉ユーザＩＤと所定の情報として帯域幅（ＲＢ数）が例えば３ＲＢ以上となるか否かを示す1ビットを含む情報とが含まれる。なお、帯域幅（ＲＢ数）の基準を例えば３ＲＢ以上となるか否かとしているのは、帯域幅が３ＲＢ以上であるか否かによりＤＭＲＳ系列の構成が異なるためである。但し、帯域幅の基準は３ＲＢ以上であるか否かに限らず、任意の値を基準としてもよい。
【００５１】
ここで、図１６に基づき、第２の変形例における干渉信号のユーザ割当状況の推定方法の一例を説明する。図１６に示すように、接続基地局２０からユーザ装置１０に、干渉ユーザ割当情報として、干渉ユーザＩＤと帯域幅が３ＲＢ以上であるか否かを示すフラグ（Ｆｌａｇ）とが動的に通知される。また、干渉ユーザ割当情報には、図１２に示した方法により、所望信号に割り当てられている部分に対応するユーザ（ＵＥ＃２（干渉ユーザＩＤ＝１）、ＵＥ＃３（干渉ユーザＩＤ＝２）、ＵＥ＃４（干渉ユーザＩＤ＝３））のユーザ割当情報のみが含まれる。図１６の例において、具体的に、接続基地局２０からユーザ装置１０に、例えば干渉ユーザＩＤ＝１、Ｆｌａｇ＝１（３ＲＢ≦帯域幅）と干渉ユーザＩＤ＝２、Ｆｌａｇ＝０（帯域幅＜３ＲＢ）と、干渉ユーザＩＤ＝３、Ｆｌａｇ＝０（帯域幅＜３ＲＢ）とを含む干渉ユーザ割当情報がＤＣＩにより動的に通知される。
【００５２】
干渉ユーザ割当情報が通知されたユーザ装置１０は、次の手順で干渉信号におけるユーザ割当状況、具体的には帯域幅及びスタートＲＢ位置をブラインドにより推定する。なお、図１６に示すように、接続ユーザ（ＵＥ＃１）は、所望信号のＲＢインデックス（ｉｎｄｅｘ）「３」〜「６」に割り当てられている。
【００５３】
（手順１）まず、通知されたユーザ割当情報に含まれる干渉ユーザＩＤ＝１のＦｌａｇは「１（３ＲＢ≦帯域幅）」であるため、干渉ユーザＩＤ＝１のユーザ割当状況として推定されるパタンは、推定パタン１−１〜１−３の３通りが推定される。ここで、ＲＢ毎に干渉雑音電力を測定し、干渉雑音電力が比較的低いＲＢは干渉ユーザが割り当てられていないものとしてブラインド推定の領域を削減する。このようにしてＲＢ毎の干渉雑音電力に基づき特定されたパタンを推定パタンとして決定する。ここで、例えば干渉ユーザＩＤ＝１の推定パタンとして推定パタン１−１が決定される。
【００５４】
（手順２）次に、干渉ユーザＩＤ＝２のユーザ割当状況を推定する。干渉ユーザＩＤ＝２のＦｌａｇは「０（帯域幅＜３ＲＢ）」であるため、推定されるパタンは、推定パタン２−１、２−２の２通りとなる。ここで、手順１の場合と同様に、ＲＢ毎の干渉雑音電力に基づき、例えば干渉ユーザＩＤ＝２の推定パタンとして推定パタン２−１が決定される。
【００５５】
（手順３）次に、干渉ユーザＩＤ＝３のユーザ割当状況を推定する。干渉ユーザＩＤ＝３のＦｌａｇは「０（帯域幅＜３ＲＢ）」であるため、推定されるパタンは、推定パタン３−１、３−２の２通りとなる。ここで、手順１の場合と同様に、ＲＢ毎の干渉雑音電力に基づき、例えば干渉ユーザＩＤ＝３の推定パタンとして推定パタン３−１が決定される。
【００５６】
このような手順により、接続基地局２０が干渉ユーザ割当情報に含まれる情報を削減し通知した場合であっても、ユーザ装置１０はブラインド推定により干渉信号におけるユーザの割当状況を推定することができる。
【００５７】
なお、第２の変形例は、第１の変形例とともに実施することも可能である。
【００５８】
以下、本発明の第１の実施形態（第１の変形例及び第２の変形例を含む。）における無線通信システムの機能構成及び動作手順について説明する。
【００５９】
[機能構成]
＜基地局＞
図１７は、本発明の第１の実施形態における基地局の機能構成を示す図である。図１７には、接続基地局２０及び干渉基地局３０が示されている。
【００６０】
図１７に示すように、接続基地局２０は、制御情報生成部２０１、他セル用制御情報生成部２０２、干渉セル制御情報生成部２０３、動的制御情報生成部２０４、他セル用動的制御情報生成部２０５、干渉セル動的制御情報生成部２０６、基地局間通信部２０７及び無線通信部２０８を有する。
【００６１】
制御情報生成部２０１は、図９に示した接続セルの準静的制御情報を生成する。
【００６２】
他セル用制御情報生成部２０２は、他のセル（基地局）に情報通知するための他セル用の準静的制御情報を生成する。
【００６３】
干渉セル制御情報生成部２０３は、干渉基地局３０から送信された準静的制御情報に基づき、下りリンク制御信号を用いてユーザ装置１０に通知する干渉セルの準静的制御情報を生成する。ここで、干渉セルの準静的制御情報とは、図１１、図１３又は図１４に示した準静的制御情報である。
【００６４】
動的制御情報生成部２０４は、図９に示した接続セルの動的制御情報を生成する。
【００６５】
他セル用動的制御情報生成部２０５は、他のセル（基地局）に通知するための他セル用の動的制御情報を生成する。
【００６６】
干渉セル動的制御情報生成部２０６は、干渉基地局３０から送信された動的制御情報に基づき、下りリンク制御信号を用いてユーザ装置１０に通知する干渉セルの動的制御情報を生成する。ここで、干渉セルの動的制御情報とは、図１１、図１３又は図１４に示した動的制御情報である。なお、干渉セル動的制御情報生成部２０６が、第１の実施形態の第１の変形例及び第２の変形例における情報要素の削除、情報要素に含まれる情報の削減及情報要素に含まれる情報の所定の情報への置換の処理を行う。
【００６７】
基地局間通信部２０７は、他の基地局と各制御情報等の送受信を行う。なお、基地局間通信部２０７が行う通信は、有線又は無線のいずれであってもよい。
【００６８】
無線通信部２０８は、信号処理を行い、ユーザ装置１０と無線通信により信号の送受信を行う。
【００６９】
なお、干渉基地局３０は、接続基地局２０と同様の機能構成を有する。干渉基地局３０が有する制御情報生成部３０１、他セル用制御情報生成部３０２、干渉セル制御情報生成部３０３、動的制御情報生成部３０４、他セル用動的制御情報生成部３０５、干渉セル動的制御情報生成部３０６、基地局間通信部３０７、無線通信部３０８は、それぞれ接続基地局２０が有する制御情報生成部２０１、他セル用制御情報生成部２０２、干渉セル制御情報生成部２０３、動的制御情報生成部２０４、他セル用動的制御情報生成部２０５、干渉セル動的制御情報生成部２０６、基地局間通信部２０７、無線通信部２０８に対応する。
【００７０】
＜ユーザ装置＞
図１８は、本発明の第１の実施形態におけるユーザ装置１０の機能構成を示す図である。
【００７１】
図１８に示すように、ユーザ装置１０は、制御情報復元部１０１、動的制御情報復元部１０２、ＤＭＲＳ系列生成部１０３、接続セルチャネル推定部１０４、干渉セル制御情報復元部１０５、干渉セル動的制御情報復元部１０６、干渉セル動的制御情報ブラインド推定部１０７、干渉セルＤＭＲＳ系列生成部１０８、干渉セルチャネル推定部１０９、信号処理部１１０及び無線通信部１１３を有する。信号処理部１１０には、干渉セルＤＭＲＳキャンセル部１１１及び干渉信号抑圧・キャンセル部１１２が含まれる。なお、ＤＭＲＳ系列生成部１０３、接続セルチャネル推定部１０４、干渉セル動的制御情報ブラインド推定部１０７、干渉セルＤＭＲＳ系列生成部１０８、干渉セルチャネル推定部１０９、信号処理部１１０並びに信号処理部１１０に含まれる干渉セルＤＭＲＳキャンセル部１１１及び干渉信号抑圧・キャンセル部１１２は、干渉低減手段の一例である。
【００７２】
制御情報復元部１０１は、接続基地局２０から通知された接続セルの準静的制御情報を復元する。
【００７３】
動的制御情報復元部１０２は、接続基地局２０から通知された接続セルの動的制御情報を復元する。
【００７４】
ＤＭＲＳ系列生成部１０３は、制御情報復元部１０１により復元された接続セルの準静的制御情報と、動的制御情報復元部１０２により復元された接続セルの動的制御情報とに基づき、接続セルのＤＭＲＳ系列を生成する。
【００７５】
接続セルチャネル推定部１０４は、生成された接続セルのＤＭＲＳ系列及び受信信号に基づき、所望信号のＰＵＳＣＨ領域のチャネルを推定する。
【００７６】
干渉セル制御情報復元部１０５は、接続基地局２０から通知された干渉セルの準静的制御情報を復元する。
【００７７】
干渉セル動的制御情報復元部１０６は、接続基地局２０から通知された干渉セルの動的制御情報を復元する。
【００７８】
干渉セル動的制御情報ブラインド推定部１０７は、接続基地局２０から通知された動的制御情報のうち不足している（接続基地局２０により削除された）情報をブラインド推定する。なお、干渉セル動的制御情報ブラインド推定部１０７は、第１の実施形態の第１の変形例及び第２の変形例のように、干渉セルのＤＭＲＳ系列を生成するために不足する情報を推定する処理を行う場合に必要であり、行わない場合は不要である。
【００７９】
干渉セルＤＭＲＳ系列生成部１０８は、干渉セル制御情報復元部１０５により復元された干渉セルの準静的制御情報と、干渉セル動的制御情報復元部１０６により復元された動的制御情報とに基づき、干渉セルのＤＭＲＳ系列を生成する。
【００８０】
干渉セルチャネル推定部１０９は、干渉セルＤＭＲＳ系列生成部１０８により生成された干渉セルのＤＭＲＳ系列及び受信信号に基づき、干渉信号のＰＵＳＣＨ領域のチャネルを推定する。
【００８１】
信号処理部１１０は、所望信号の復調・復号処理を行う。具体的には、信号処理部１１０は、接続セルチャネル推定部１０４により推定された所望信号に対するチャネル推定結果に基づき、受信信号から所望信号の制御情報及び干渉信号の制御情報を復調する。
【００８２】
干渉セルＤＭＲＳキャンセル部１１１は、干渉セルチャネル推定部１０５により推定された干渉信号のチャネル推定結果と干渉セルＤＭＲＳ系列生成部１０４により生成された干渉セルのＤＭＲＳ系列とを用いて干渉セルのＤＭＲＳをキャンセルする。
【００８３】
干渉信号抑圧・キャンセル部１１２は、接続セルチャネル推定部１０４により推定された所望信号のチャネル推定結果と、干渉セルチャネル推定部１０５により推定された干渉信号のチャネル推定結果とに基づき、ＰＵＳＣＨの干渉信号を抑圧又はキャンセルする。具体的には、ＰＵＳＣＨの干渉信号を抑圧する場合、干渉信号抑圧・キャンセル部１１２は、所望信号及び干渉信号のチャネル推定結果を用いたＩＲＣ受信を行う。また、ＰＵＳＣＨの干渉信号をキャンセルする場合、干渉信号の変調信号をブラインド推定し、所望信号及び干渉信号のチャネル推定結果を用いたＳＩＣ処理を行う。
【００８４】
無線通信部１１３は、信号処理を行い、基地局と無線通信により信号を送受信する。
【００８５】
[動作手順]
次に、図１９に基づき、図１７及び図１８に示した機能構成を有する無線通信システムの動作を説明する。図１９は、本発明の第１の実施形態における無線通信システムの動作手順を示すシーケンス図である。図１９の例では、接続基地局２０から所望信号を受信するユーザ装置１０が、干渉基地局＃１（干渉基地局３０ａ）、・・・干渉基地局＃ｎ（干渉基地局３０ｎ）の干渉セル＃１、・・・干渉セル＃ｎからの干渉信号を低減する動作手順を示している。なお、以下において、干渉基地局３０は干渉基地局３０ａ、３０ｎの２台として説明するが、干渉基地局３０は任意の台数が存在してよい。
【００８６】
ステップＳ１０１ａ、Ｓ１０１ｂにおいて、干渉基地局３０ａ、３０ｎの制御情報生成部３０１は、それぞれ当該干渉基地局３０ａ、３０ｎの干渉セル＃１、干渉セル＃ｎの準静的制御情報を生成する。
【００８７】
ステップＳ１０１ｃにおいて、接続基地局２０の制御情報生成部２０１は、接続セルの準静的制御情報を生成する。
【００８８】
ステップＳ１０２において、接続基地局２０の無線通信部２０８は、ハイヤレイヤシグナリング（例えばＲＲＣシグナリング）により、生成した接続セルの準静的制御情報をユーザ装置１０に送信する。
【００８９】
ステップＳ１０３において、ユーザ装置１０の制御情報復元部１０１が無線通信部１１３を介して、接続基地局２０からの接続セルの準静的制御情報を受信すると、制御情報復元部１０１は、受信した接続セルの準静的制御情報を復元する。
【００９０】
ステップＳ１０４ａ、Ｓ１０４ｂにおいて、干渉基地局３０ａ、３０ｎの他セル用制御情報生成部３０１は、ステップＳ１０１ａ、Ｓ１０１ｂで生成した干渉セル＃１、干渉セル＃ｎの準静的制御情報に基づき、他のセル（接続基地局２０）に通知するための他セル用の準静的制御情報を生成する。
【００９１】
ステップＳ１０４ｃにおいて、接続基地局２０の他セル用制御情報生成部２０１もステップＳ１０４ａ、Ｓ１０４ｂと同様に、ステップＳ１０１ｃで生成した接続セルの準静的制御情報に基づき、他のセルに通知するための他セル用の準静的制御情報を生成する。
【００９２】
ステップＳ１０５ａ、Ｓ１０５ｂにおいて、干渉基地局３０ａ、３０ｎの基地局間通信部３０７は、それぞれ生成した他セル用の干渉セル＃１、干渉セル＃ｎの準静的制御情報を、接続基地局２０に送信する。
【００９３】
なお、図１９の例では、接続基地局２０が他の基地局に他セル用の準静的制御情報を送信する処理は省略する。
【００９４】
ステップＳ１０６において、接続基地局２０の干渉セル制御情報生成部２０３が基地局間通信部２０７を介して、干渉セル＃１、干渉セル＃ｎの準静的制御情報を受信すると、干渉セル制御情報生成部２０３は、受信した他セル（干渉セル＃１、干渉セル＃ｎ）の準静的制御情報に基づき、ユーザ装置１０に通知する干渉セル（干渉セル＃１、干渉セル＃ｎ）の準静的制御情報を生成する。
【００９５】
ステップＳ１０７において、接続基地局２０の無線通信部２０８は、ＲＲＣシグナリングにより、生成した干渉セルの準静的制御情報をユーザ装置１０に送信する。
【００９６】
ステップＳ１０８において、ユーザ装置１０の干渉セル制御情報復元部１０５が無線通信部１１３を介して、接続基地局２０からの干渉セルの準静的制御情報を受信すると、干渉セル制御情報復元部１０５は、受信した干渉セルの準静的制御情報を復元する。
【００９７】
以降のステップＳ１０９〜Ｓ１２１の処理は、動的（例えば１ｓｕｂｆｒａｍｅ（１ｍｓｅｃ）周期）に、繰り返し実行される。なお、動的とは、上記１ｓｕｂｆｒａｍｅ周期に限らず、例えば０〜５ｍｓｅｃの間隔等で繰り返し実行されてもよい。
【００９８】
ステップＳ１０９ａ、Ｓ１０９ｂにおいて、干渉基地局３０ａ、３０ｎの動的制御情報生成部３０４は、それぞれ当該干渉基地局３０ａ、３０ｎの干渉セル＃１、干渉セル＃ｎの動的制御情報を生成する。
【００９９】
ステップＳ１０９ｃにおいて、接続基地局２０の動的制御情報生成部２０４は、接続セルの動的制御情報を生成する。
【０１００】
ステップＳ１１０において、接続基地局２０の無線通信部２０８は、下りリンク制御情報（ＤＣＩ：Ｄｏｗｎｌｉｎｋ  Ｃｏｎｔｒｏｌ  Ｉｎｆｏｒｍａｔｉｏｎ）により、生成した接続セルの動的制御情報をユーザ装置１０に送信する。なお、動的制御情報は、ＤＣＩフォーマットに含まれる。ＤＣＩフォーマットは、複数の種類が用意されており、動的制御情報はそのうちの少なくとも一つには含まれている。
【０１０１】
ステップＳ１１１において、ユーザ装置１０の動的制御情報復元部１０２が無線通信部１１３を介して、接続基地局２０からの接続セルの動的制御情報を受信すると、動的制御情報復元部１０２は、受信した接続セルの動的制御情報を復元する。
【０１０２】
ステップＳ１１２ａ、Ｓ１１２ｂにおいて、干渉基地局３０ａ、３０ｎの他セル用動的制御情報生成部３０５は、ステップＳ１０９ａ、Ｓ１０９ｂで生成した干渉セル＃１、干渉セル＃ｎの動的制御情報に基づき、他のセル（接続基地局２０）に通知するための他セル用の動的制御情報を生成する。
【０１０３】
ステップＳ１１２ｃにおいて、接続基地局２０の他セル用動的制御情報生成部２０５もステップＳ１１２ａ、Ｓ１１２ｂと同様に、ステップＳ１０９ｃで生成した接続セルの動的制御情報に基づき、他のセルに通知するための他セル用の動的制御情報を生成する。
【０１０４】
ステップＳ１１３ａ、Ｓ１１３ｂにおいて、干渉基地局３０ａ、３０ｎの基地局間通信部３０７は、それぞれ生成した他セル用の干渉セル＃１、干渉セル＃ｎの動的制御情報を、接続基地局２０に送信する。
【０１０５】
なお、図１９の例では、接続基地局２０が他の基地局に他セル用の動的制御情報を送信する処理は省略する。
【０１０６】
ステップＳ１１４において、接続基地局２０の干渉セル動的制御情報生成部２０６が基地局間通信部２０７を介して、干渉セル＃１、干渉セル＃ｎの動的制御情報を受信すると、干渉セル動的制御情報生成部２０６は、受信した他セル（干渉セル＃１、干渉セル＃ｎ）の動的制御情報に基づき、ユーザ装置１０に通知する干渉セル（干渉セル＃１、干渉セル＃ｎ）の動的制御情報を生成する。
【０１０７】
ステップＳ１１５において、接続基地局２０の無線通信部２０８は、ＤＣＩにより、生成した干渉セルの動的制御情報をユーザ装置１０に送信する。
【０１０８】
ステップＳ１１６において、ユーザ装置１０の干渉セル動的制御情報復元部１０６が無線通信部１１３を介して、接続基地局２０からの干渉セルの動的制御情報を受信すると、干渉セル動的制御情報復元部１０６は、受信した干渉セルの動的制御情報を復元する。
【０１０９】
ステップＳ１１７において、干渉セル動的制御情報ブラインド推定部１０７は、接続基地局２０から通知され、復元した干渉セルの動的制御情報のうち不足している情報をブラインド推定する。なお、ステップＳ１１７の処理は、第１の実施形態の第１の変形例及び第２の変形例のように、干渉セルのＤＭＲＳ系列の生成を行うための情報が不足することを想定しない場合、不要である。
【０１１０】
ステップＳ１１８において、ＤＭＲＳ系列生成部１０３は、ステップＳ１０３で復元された接続セルの準静的制御情報と、ステップＳ１１１で復元された接続セルの動的制御情報とに基づき、接続セルのＤＭＲＳ系列を生成する。また、干渉セルＤＭＲＳ系列生成部１０８は、ステップＳ１０８で復元された干渉セルの準静的制御情報と、ステップＳ１１６で復元された動的制御情報とに基づき、干渉セルのＤＭＲＳ系列を生成する。
【０１１１】
Ｓ１１９において、接続セルチャネル推定部１０４は、生成された接続セルのＤＭＲＳ系列及び受信信号に基づき、所望信号のチャネルを推定する。また、干渉セルチャネル推定部１０９は、生成された干渉セルのＤＭＲＳ系列及び受信信号に基づき、干渉信号のチャネルを推定する。
【０１１２】
Ｓ１２０において、干渉セルＤＭＲＳキャンセル部１１１は、ステップＳ１１８で生成された干渉セルのＤＭＲＳ系列と、ステップＳ１１９で推定された干渉信号のチャネル推定結果とを用いて干渉セルのＤＭＲＳをキャンセルする。
【０１１３】
Ｓ１２１において、干渉信号抑圧・キャンセル部１１２は、ステップＳ１１９で推定された接続セル及び干渉信号のチャネル推定結果に基づき、ＰＵＳＣＨの干渉信号を抑圧又はキャンセルする。
【０１１４】
上述したように、本発明の第１の実施形態の無線通信システムは、接続基地局２０が下りリンク制御信号により、ユーザ装置１０に対して、ＤＭＲＳ系列の生成及びＤＭＲＳによる干渉信号のチャネル推定に用いる干渉基地局３０の制御情報（準静的制御情報及び動的制御情報）を通知する。そして、ユーザ装置１０は、接続基地局２０から通知された制御情報を用いて、ＤＭＲＳによるＰＵＳＣＨ領域の干渉信号のチャネル推定を行い、干渉信号のチャネル推定結果及び生成した干渉セルのＤＭＲＳ系列を用いて、干渉セルのＤＭＲＳをキャンセルすることができる。また、ユーザ装置１０は、上記チャネル推定結果を用いて、ＰＵＳＣＨ領域の干渉信号の抑圧又はキャンセルを行うことができる。すなわち、ユーザ装置１０は、下りリンクの所望信号を受信しながら、上りリンクの干渉信号を低減することができる。
〔第２の実施形態〕
上述したように、本発明の第２の実施形態は、干渉低減を行う対象の信号をＳＲＳとする。なお、第２の実施形態は、第１の実施形態（第１の変形例及び第２の変形例を含む。）とともに実施することも可能である。
【０１１５】
＜干渉低減の方法＞
第２の実施形態における対象信号の干渉低減の方法を図２０に示す。図２０に示すように、ユーザ装置１０は、ＳＲＳの干渉信号に対して、ＳＲＳによるチャネル推定を行い、ＳＲＳ系列を用いて干渉信号をキャンセルする。
【０１１６】
＜接続セルの制御情報＞
接続基地局２０からユーザ装置１０に対して通知される、ＳＲＳ系列の生成及びＳＲＳによるチャネル推定に必要な制御情報を図２１に示す。
【０１１７】
図２１に示すように、ＳＲＳ系列生成、チャネル推定に必要な制御情報は、ハイヤレイヤシグナリングであるＲＲＣシグナリングにより通知される準静的制御情報である。準静的制御情報は、さらにセル内の全てのユーザ装置（ＵＥ）に共通したパラメータで通知される情報要素と、ユーザ装置毎個別のパラメータで通知される情報要素とがある。また、接続基地局２０が通知する制御情報には、ｇｒｏｕｐＨｏｐｐｉｎｇＥｎａｂｌｅｄ、ｓｅｑｕｅｎｃｅＨｏｐｐｉｎｇＥｎａｂｌｅｄ、ｇｒｏｕｐＡｓｓｉｇｎｍｅｎｔＰＵＳＣＨ、ｃｙｃｌｉｃＳｈｉｆｔの情報要素を含めず、例えばユーザ装置１０が図９に示したＤＭＲＳ系列で通知された値を利用する。なお、これらの情報要素は、接続基地局２０が通知する制御情報に含めてもよい。また、ｓｒｓ−Ｂａｎｄｗｉｄｔｈ、ｆｒｅｑＤｏｍａｉｎＰｏｓｉｔｉｏｎ、ｓｒｓ−ＣｏｎｆｉｇＩｎｄｅｘ、ｔｒａｎｓｍｉｓｓｉｏｎＣｏｍｂ、ｃｙｃｌｉｃＳｈｉｆｔ、ｓｒｓ−ＡｎｔｅｎｎａＰｏｒｔの情報要素は、ＳＲＳの周期的（Ｐｅｒｉｏｄｉｃ）送信又は非周期的（Ａｐｅｒｉｏｄｉｃ）送信により独立した動作の中で接続基地局２０からユーザ装置１０に通知される。
【０１１８】
なお、ＳＲＳの周期的（Ｐｅｒｉｏｄｉｃ）送信間隔の例を図２２（ａ）に示す。図２２（ａ）に示すように、ＳＲＳ送信周期は、セル固有のＳＲＳ送信タイミング及びセル固有のＳＲＳ送信タイミングのうちＵＥ毎のＳＲＳ送信タイミングの周期があり、ＵＥ毎のＳＲＳ送信周期に基づきＳＲＳ送信が行われる。また、ＳＲＳ送信におけるＵＥ割当イメージを図２２（ｂ）に示す。
【０１１９】
＜干渉セルの制御情報＞
第２の実施形態では、干渉セルのＳＲＳ系列の生成及びＳＲＳによるチャネル推定を行うため、干渉セルの制御情報が接続基地局２０からユーザ装置１０に通知される。接続基地局２０は、各干渉基地局３０から通知される干渉セルの制御情報に基づき、図２３に示すような干渉セルの制御情報を生成する。図２３に示されるように、図２１に示した接続セルの制御情報と情報要素は同様であるが、第２の実施形態ではセル内で共通に通知される情報要素は干渉セル分が通知される点及びＵＥ個別に通知される情報要素は干渉ユーザＩＤに対応付けて干渉ユーザ数分が通知される点が異なる。なお、第１の実施形態（第１の変形例及び第２の変形例を含む。）とともに第２の実施形態が実施される場合、接続基地局２０は、ユーザ装置に通知する制御情報の中から図２３に示したｇｒｏｕｐＨｏｐｐｉｎｇＥｎａｂｌｅｄ、ｓｅｑｕｅｎｃｅＨｏｐｐｉｎｇＥｎａｂｌｅｄ、ｇｒｏｕｐＡｓｓｉｇｎｍｅｎｔＰＵＳＣＨ、ｃｙｃｌｉｃＳｈｉｆｔの情報要素を削除する。この場合、ユーザ装置１０は、第１の実施形態において通知される制御情報（図１１、図１３、図１４、図１５）に含まれるｇｒｏｕｐＨｏｐｐｉｎｇＥｎａｂｌｅｄ、ｓｅｑｕｅｎｃｅＨｏｐｐｉｎｇＥｎａｂｌｅｄ、ｇｒｏｕｐＡｓｓｉｇｎｍｅｎｔＰＵＳＣＨ、ｃｙｃｌｉｃＳｈｉｆｔの値を利用する。
【０１２０】
以上、本発明の第２の実施形態の無線通信システムにおいて、ユーザ装置１０は、図２３に示した干渉セルの制御情報に基づき生成したＳＲＳ行列及びＳＲＳによるチャネル推定結果を用いて、干渉信号であるＳＲＳをキャンセルする。
【０１２１】
[機能構成]
＜基地局＞
図２４は、本発明の第２の実施形態における基地局の機能構成を示す図である。図２４には、接続基地局２０及び干渉基地局３０が示されている。
【０１２２】
図２４に示すように、接続基地局２０は、制御情報生成部２２１、他セル用制御情報生成部２２２、干渉セル制御情報生成部２２３、基地局間通信部２２４及び無線通信部２２５を有する。
【０１２３】
制御情報生成部２２１は、図２１に示した接続セルの準静的制御情報を生成する。
【０１２４】
他セル用制御情報生成部２２２は、他のセル（基地局）に情報通知するための他セル用の準静的制御情報を生成する。
【０１２５】
干渉セル制御情報生成部２２３は、干渉基地局３０から送信された準静的制御情報に基づき、下りリンク制御信号を用いてユーザ装置１０に通知する干渉セルの準静的制御情報を生成する。ここで、干渉セルの準静的制御情報とは、図２３に示した準静的制御情報である。
【０１２６】
基地局間通信部２２４は、他の基地局と各制御情報等の送受信を行う。なお、基地局間通信部２０７が行う通信は、有線又は無線のいずれであってもよい。
【０１２７】
無線通信部２２５は、信号処理を行い、ユーザ装置１０と無線通信により信号の送受信を行う。
【０１２８】
なお、干渉基地局３０は、接続基地局２０と同様の機能構成を有する。干渉基地局３０が有する制御情報生成部３２１、他セル用制御情報生成部３２２、干渉セル制御情報生成部３２３、基地局間通信部３２４、無線通信部３２５は、それぞれ接続基地局２０が有する制御情報生成部２２１、他セル用制御情報生成部２２２、干渉セル制御情報生成部２２３、基地局間通信部２２４、無線通信部２２５に対応する。
【０１２９】
＜ユーザ装置＞
図２５は、本発明の第２の実施形態におけるユーザ装置１０の機能構成を示す図である。
【０１３０】
図２５に示すように、ユーザ装置１０は、制御情報復元部１２１、ＳＲＳ系列生成部１２２、接続セルチャネル推定部１２３、干渉セル制御情報復元部１２４、干渉セルＳＲＳ系列生成部１２５、干渉セルチャネル推定部１２６、信号処理部１２７及び無線通信部１２９を有する。信号処理部１２７には、干渉セルＳＲＳキャンセル部１２８が含まれる。なお、ＳＲＳ系列生成部１２２、接続セルチャネル推定部１２３、干渉セル制御情報復元部１２４、干渉セルＳＲＳ系列生成部１２５、干渉セルチャネル推定部１２６、信号処理部１２７並びに信号処理部１２７に含まれる干渉セルＳＲＳキャンセル部１２８は、干渉低減手段の一例である。
【０１３１】
制御情報復元部１２１は、接続基地局２０から通知された接続セルの準静的制御情報を復元する。
【０１３２】
ＳＲＳ系列生成部１２２は、制御情報復元部１２１により復元された接続セルの準静的制御情報に基づき、接続セルのＳＲＳ系列を生成する。
【０１３３】
接続セルチャネル推定部１２３は、生成された接続セルのＳＲＳ系列及び受信信号に基づき、所望信号のチャネルを推定する。
【０１３４】
干渉セル制御情報復元部１２４は、接続基地局２０から通知された干渉セルの準静的制御情報を復元する。
【０１３５】
干渉セルＳＲＳ系列生成部１２５は、干渉セル制御情報復元部１２４により復元された干渉セルの準静的制御情報に基づき、干渉セルのＳＲＳ系列を生成する。
【０１３６】
干渉セルチャネル推定部１２６は、干渉セルＳＲＳ系列生成部１２５により生成された干渉セルのＳＲＳ系列及び受信信号に基づき、干渉信号のチャネルを推定する。
【０１３７】
信号処理部１２７は、所望信号の復調・復号処理を行う。具体的には、信号処理部１２７は、接続セルチャネル推定部１２３により推定された所望信号に対するチャネル推定結果に基づき、受信信号から所望信号及び干渉信号の制御情報を復調する。
【０１３８】
干渉セルＳＲＳキャンセル部１２８は、干渉セルチャネル推定部１２６により推定された干渉信号のチャネル推定結果と干渉セルＳＲＳ系列生成部１２５により生成された干渉セルのＳＲＳ系列とを用いて干渉セルのＳＲＳをキャンセルする。
【０１３９】
無線通信部１２９は、信号処理を行い、基地局と無線通信により信号を送受信する。
【０１４０】
[動作手順]
次に、図２６に基づき、図２４及び図２５に示した機能構成を有する無線通信システムの動作を説明する。図２６は、本発明の第２の実施形態における無線通信システムの動作手順を示すシーケンス図である。図２６の例では、接続基地局２０から所望信号を受信するユーザ装置１０が、干渉基地局＃１（干渉基地局３０ａ）、・・・干渉基地局＃ｎ（干渉基地局３０ｎ）の干渉セル＃１、・・・干渉セル＃ｎからの干渉信号を低減する動作手順を示している。なお、干渉基地局３０は、任意の台数が存在してよい。
【０１４１】
ステップＳ２０１ａ、Ｓ２０１ｂにおいて、干渉基地局３０ａ、３０ｎの制御情報生成部３２１は、それぞれ当該干渉基地局３０ａ、３０ｎの干渉セル＃１、干渉セル＃ｎの準静的制御情報を生成する。
【０１４２】
ステップＳ２０１ｃにおいて、接続基地局２０の制御情報生成部２２１は、接続セルの準静的制御情報を生成する。
【０１４３】
ステップＳ２０２において、接続基地局２０の無線通信部２２５は、ＲＲＣシグナリングにより、生成した接続セルの準静的制御情報をユーザ装置１０に送信する。
【０１４４】
ステップＳ２０３において、ユーザ装置１０の制御情報復元部１２１が無線通信部１２９を介して、接続基地局２０からの接続セルの準静的制御情報を受信すると、制御情報復元部１２１は、受信した接続セルの準静的制御情報を復元する。
【０１４５】
ステップＳ２０４ａ、Ｓ２０４ｂにおいて、干渉基地局３０ａ、３０ｎの他セル用制御情報生成部３２２は、ステップＳ２０１ａ、Ｓ２０１ｂで生成した干渉セル＃１、干渉セル＃ｎの準静的制御情報に基づき、他のセル（接続基地局２０）に通知するための他セル用の準静的制御情報を生成する。
【０１４６】
ステップＳ２０４ｃにおいて、接続基地局２０の他セル用制御情報生成部２２２もステップＳ２０４ａ、Ｓ２０４ｂと同様に、ステップＳ２０１ｃで生成した接続セルの準静的制御情報に基づき、他のセルに通知するための他セル用の準静的制御情報を生成する。
【０１４７】
ステップＳ２０５ａ、Ｓ２０５ｂにおいて、干渉基地局３０ａ、３０ｎの基地局間通信部３２４は、それぞれ生成した他セル用の干渉セル＃１、干渉セル＃ｎの準静的制御情報を、接続基地局２０に送信する。
【０１４８】
なお、図２６の例では、接続基地局２０が他の基地局に他セル用の準静的制御情報を送信する処理は省略する。
【０１４９】
ステップＳ２０６において、接続基地局２０の干渉セル制御情報生成部２２３が基地局間通信部２２４を介して、干渉セル＃１、干渉セル＃ｎの準静的制御情報を受信すると、干渉セル制御情報生成部２２３は、受信した他セル（干渉セル＃１、干渉セル＃ｎ）の準静的制御情報に基づき、ユーザ装置１０に通知する干渉セル（干渉セル＃１、干渉セル＃ｎ）の準静的制御情報を生成する。
【０１５０】
ステップＳ２０７において、接続基地局２０の無線通信部２２５は、ＲＲＣシグナリングにより、生成した干渉セルの準静的制御情報をユーザ装置１０に送信する。
【０１５１】
ステップＳ２０８において、ユーザ装置１０の干渉セル制御情報復元部１２４が無線通信部１２９を介して、接続基地局２０からの干渉セルの準静的制御情報を受信すると、干渉セル制御情報復元部１２４は、受信した干渉セルの準静的制御情報を復元する。
【０１５２】
以降のステップＳ２０９〜Ｓ２１１の処理は、動的（例えば１ｓｕｂｆｒａｍｅ（１ｍｓｅｃ）周期）に、繰り返し実行される。なお、動的とは、上記１ｓｕｂｆｒａｍｅ周期に限らず、例えば０〜５ｍｓｅｃの間隔で繰り返し実行されてもよい。
【０１５３】
ステップＳ２０９において、ＳＲＳ系列生成部１２２は、ステップＳ２０３で復元された接続セルの準静的制御情報に基づき、接続セルのＳＲＳ系列を生成する。また、干渉セルＳＲＳ系列生成部１２５は、ステップＳ２０８で復元された干渉セルの準静的制御情報に基づき、干渉セルのＳＲＳ系列を生成する。
【０１５４】
Ｓ２１０において、接続セルチャネル推定部１２３は、生成された接続セルのＳＲＳ系列及び受信信号に基づき、所望信号のチャネルを推定する。また、干渉セルチャネル推定部１２６は、生成された干渉セルのＳＲＳ系列及び受信信号に基づき、干渉信号のチャネルを推定する。
【０１５５】
Ｓ２１１において、干渉セルＳＲＳキャンセル部１２８は、ステップＳ２０９で生成された干渉セルのＳＲＳ系列と、ステップＳ２１０で推定された干渉信号のチャネル推定結果とを用いて干渉セルのＳＲＳをキャンセルする。
【０１５６】
上述したように、本発明の第２の実施形態の無線通信システムは、接続基地局２０が下りリンク制御信号により、ユーザ装置１０に対して、ＳＲＳ系列の生成及びＳＲＳによる干渉信号のチャネル推定に用いる干渉基地局３０の制御情報（準静的制御情報）を通知する。そして、ユーザ装置１０は、接続基地局２０から通知された制御情報を用いて、ＳＲＳによる干渉信号のチャネル推定を行い、干渉信号のチャネル推定結果及び生成した干渉セルのＳＲＳ系列を用いて、干渉セルのＳＲＳをキャンセルすることができる。すなわち、ユーザ装置１０は、上りリンクの干渉信号を低減することができる。
【０１５７】
以上、本発明の第１の実施形態及び第２の実施形態により、例えばＤｙｎａｍｉｃ  ＴＤＤや端末間通信の導入された無線通信システムにおいて発生し得る上りリンクの干渉信号を低減し、ユーザ装置における受信品質の向上及びスループットの改善を図ることができる。
【０１５８】
以上、本発明の各実施形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能構成図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局及びユーザ装置は機能構成図を用いて説明されたが、そのような装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１５９】
１０  ユーザ装置
１０１  制御情報復元部
１０２  動的制御情報復元部
１０３  ＤＭＲＳ系列生成部
１０４  接続セルチャネル推定部
１０５  干渉セル制御情報復元部
１０６  干渉セル動的制御情報復元部
１０７  干渉セル動的制御情報ブラインド推定部
１０８  干渉セルＤＭＲＳ系列生成部
１０９  干渉セルチャネル推定部
１１０  信号処理部
１１１  干渉セルＤＭＲＳキャンセル部
１１２  干渉信号抑圧・キャンセル部
１１３  無線通信部
１２１  制御情報復元部
１２２  ＳＲＳ系列生成部
１２３  接続セルチャネル推定部
１２４  干渉セル制御情報復元部
１２５  干渉セルＳＲＳ系列生成部
１２６  干渉セルチャネル推定部
１２７  信号処理部
１２８  干渉セルＳＲＳキャンセル部
１２９  無線通信部
２０    接続基地局
２０１  制御情報生成部
２０２  他セル用制御情報生成部
２０３  干渉セル制御情報生成部
２０４  動的制御情報生成部
２０５  他セル用動的制御情報生成部
２０６  干渉セル動的制御情報生成部
２０７  基地局間通信部
２０８  無線通信部
２２１  制御情報生成部
２２２  他セル用制御情報生成部
２２３  干渉セル制御情報生成部
２２４  基地局間通信部
２２５  無線通信部
【図１】
2015023454.tif 000003
【図２】
2015023454.tif 000004
【図３】
2015023454.tif 000005
【図４】
2015023454.tif 000006
【図５】
2015023454.tif 000007
【図６】
2015023454.tif 000008
【図７】
2015023454.tif 000009
【図８】
2015023454.tif 000010
【図９】
2015023454.tif 000011
【図１０】
2015023454.tif 000012
【図１１】
2015023454.tif 000013
【図１２】
2015023454.tif 000014
【図１３】
2015023454.tif 000015
【図１４】
2015023454.tif 000016
【図１５】
2015023454.tif 000017
【図１６】
2015023454.tif 000018
【図１７】
2015023454.tif 000019
【図１８】
2015023454.tif 000020
【図１９】
2015023454.tif 000021
【図２０】
2015023454.tif 000022
【図２１】
2015023454.tif 000023
【図２２】
2015023454.tif 000024
【図２３】
2015023454.tif 000025
【図２４】
2015023454.tif 000026
【図２５】
2015023454.tif 000027
【図２６】
2015023454.tif 000028